(57)【要約】【課題】本発明は、焦点合わせを行うレンズ９がフィルタ６と干渉しない程度にまで、レンズ９をフィルタ６に近接させて、鏡筒装置１を撮像装置の本体部に沈胴させることにより、鏡筒装置１を撮像装置の本体部に沈胴させたときの撮像装置全体を小型化することができる鏡筒構造を提供することを目的とする。【解決手段】レンズ保持枠１１に対応する位置に、フィルタ６の前面周端部の一部を係止するフィルタ係止部８を有し、レンズ保持枠１１のフィルタ係止部８と対向する位置にフィルタ係止部８を受け入れる切欠部１２を設けた。【選択図】    図２
2004205683.tif 000002
【特許請求の範囲】
【請求項１】
撮像装置の本体部に固定される固定筒を有し、この固定筒の底部に、不要な周波数の光を除去するフィルタを保持するフィルタ保持部を形成し、このフィルタ保持部の被写体側に、焦点合わせを行うレンズをレンズ周面で保持するレンズ保持枠を設け、このレンズ保持枠が前記固定筒に対して光軸方向に移動可能な鏡筒構造において、前記フィルタ保持部は、前記レンズ保持枠に対応する位置に、前記フィルタの前面周端部の一部を係止するフィルタ係止部を有し、前記レンズ保持枠の前記フィルタ係止部と対向する位置に前記フィルタ係止部を受け入れる切欠部を設けたことを特徴とする鏡筒構造。
【請求項２】
前記フィルタは方形であり、前記フィルタ係止部は、前記フィルタの四隅を係止することを特徴とする請求項１に記載の鏡筒構造。
【発明の詳細な説明】
【０００１】
【発明の属する技術分野】
本発明は、撮像装置の鏡筒構造に係り、特に、焦点合わせを行うレンズが不要な周波の光を除去するフィルタと干渉しない程度にまで、レンズをフィルタに接近させて、鏡筒装置を撮像装置の本体部に沈胴させることにより、鏡筒装置を撮像装置の本体部に沈胴させたときの撮像装置全体を小型化することができる鏡筒構造に関する。
【０００２】
【従来の技術】
従来、撮像レンズで結像された被写体画像を撮像信号に光電変換する撮像素子によりデジタル化してメモリに記憶することによって撮影を行う撮像装置が用いられている。この撮像装置においては、銀塩フィルムを使用して撮影する撮像装置と同様に、撮影する際には、レンズ群を保持する鏡筒装置を撮像装置の本体部から前方に突出させ、撮影しないときには、鏡筒装置を本体部内に収納させる、いわゆる沈胴構造が用いられている。
【０００３】
ところで、この撮像装置の鏡筒装置においては、レンズ群の像面側であって撮像素子の被写体側に、撮像素子に入射される被写体光学像における空間周波数の高い不用な成分を除去するフィルタが設けられている。このフィルタは、鏡筒装置の固定筒の底部に設けられたフィルタ保持部により保持されている。従来の鏡筒装置では、このフィルタ保持部は、図５及び図６に示すように、フィルタ６を嵌合する開口部３とこの開口部３の全周に開口部３の内側に突出してフィルタ６を係止するフィルタ係止部８とにより形成されており、このフィルタ係止部８により、フィルタ６の前面周端部の全域が保持されるようになっている（例えば、特許文献１参照）。
【０００４】
また、フィルタ６の被写体側には、焦点合わせを行うレンズ９が配設されるとともに、このレンズ９をレンズ９周面で保持するレンズ保持枠１１が設けられている（特許文献１参照）。
【０００５】
レンズ保持枠１１は、固定筒２に対して光軸方向に移動可能となっており、鏡筒装置を撮像装置の本体部に沈胴させる際には、レンズ保持枠１１を固定筒２に接近させるようになっている。
【０００６】
【特許文献１】
特開２００２−３３３５６６号公報（第１図等参照）
【０００７】
【発明が解決しようとする課題】
しかし、従来の鏡筒構造（特許文献１）では、フィルタ６をフィルタ保持部７に嵌め込むと、フィルタ６前面の全周端部にわたって、フィルタ係止部８がフィルタ６表面よりも突出した状態となっていた。したがって、鏡筒装置を撮像装置の本体部に沈胴させる場合に、焦点合わせを行うレンズ９又はこのレンズ９を保持するレンズ保持枠１１がこの突出したフィルタ係止部８と干渉を防止するため、レンズ９とフィルタ６とを一定距離以上、近接させることができなかった。したがって、鏡筒装置を撮像装置の本体部に沈胴させたときの撮像装置全体の小型化に限界があるという問題があった。
【０００８】
そこで、本発明は、焦点合わせを行うレンズがフィルタと干渉しない程度にまで、レンズをフィルタに接近させて、鏡筒装置を撮像装置の本体部に沈胴させることにより、鏡筒装置を撮像装置の本体部に沈胴させたときの撮像装置全体を小型化することができる鏡筒構造を提供することを目的とする。
【０００９】
【課題を解決するための手段】
上記課題を解決するために本発明による鏡筒構造は、撮像装置の本体部に固定される固定筒を有し、この固定筒の底部に、不要な周波数の光を除去するフィルタを保持するフィルタ保持部を形成し、このフィルタ保持部の被写体側に、焦点合わせを行うレンズをレンズ周面で保持するレンズ保持枠を設け、このレンズ保持枠が前記固定筒に対して光軸方向に移動可能な鏡筒構造において、前記フィルタ保持部は、前記レンズ保持枠に対応する位置に、前記フィルタの前面周端部の一部を係止するフィルタ係止部を有し、前記レンズ保持枠の前記フィルタ係止部と対向する位置に前記フィルタ係止部を受け入れる切欠部を設けたことを特徴とする。
【００１０】
本発明によれば、フィルタ係止部は、フィルタ前面周端部の一部のみを係止するため、当該部分のみがフィルタ表面よりも被写体側に突出している。そして、このフィルタ係止部は前記レンズ保持枠に対応する位置に設けられており、レンズ保持枠のフィルタ係止部と対向する位置には、前記フィルタ係止部を受け入れる切欠部が設けられている。したがって、レンズ保持枠を固定筒に接近させと、フィルタ表面より被写体側に突出しているフィルタ係止部は、レンズ保持部の切欠部に入り込む。
【００１１】
また、請求項２に記載の鏡筒構造は、請求項１に記載の鏡筒構造において、前記フィルタは方形であり、前記フィルタ係止部は、前記フィルタの四隅を係止することを特徴とする。
【００１２】
本発明によれば、フィルタ係止部は、フィルタの四隅を係止するため、このフィルタ係止部をレンズの外径より外側に配設にあたり、フィルタを必要以上に大きくせずにすむ。
【００１３】
【発明の実施の形態】
以下、本発明の実施形態を図１から図６を参照して説明する。
本実施形態では、本発明に係る鏡筒構造を撮像装置の鏡筒装置に適用した場合を一例として説明する。
【００１４】
本実施形態による鏡筒装置１は、略円筒状であって一方の端部を閉塞する有底の筐体を構成する固定筒２を有しており、この固定筒２は、撮像装置１の本体部に固定されるようになっている。
【００１５】
この固定筒２の底部中央には、凹部３が設けられており、この凹部３の外側縁部には、撮像素子４を撮像素子４の側面で保持する撮像素子保持部５が形成されている。また、凹部３の底面には、開口部１０が設けられており、この開口部１０の外側縁部には、方形のフィルタ６を側面で保持するフィルタ保持部７が形成されている。このフィルタ保持部７には、フィルタ６を係止するフィルタ係止部８が形成されている。
【００１６】
撮像素子４及びフィルタ６の被写体側には、焦点合わせを行うレンズである第三レンズ９群を保持するとともに、第三レンズ９群を固定筒２内に配設させるレンズ保持枠１１が設けられており、このレンズ保持枠１１は、第三レンズ駆動手段１５により第三レンズ群９を光軸方向へ移動するようになっている。
【００１７】
ここで、フィルタ係止部８及びレンズ保持枠１１について、図２から図４を参照して説明する。
【００１８】
フィルタ係止部８は、フィルタ保持部７の四隅に、フィルタ保持部７の前面内側に突出して設けられている。これにより、方形のフィルタ６は、側面をフィルタ保持部７に保持された状態で、前面四隅をフィルタ係止部８に係止され、固定筒２の底部中央に配置される。このとき、フィルタ係止部８は、フィルタ６の表面より被写体側に突出した状態になっている。ここで、フィルタ係止部８の大きさは、フィルタ係止部８が、レンズ保持部１１と対応する位置に配設されるように定められている。
【００１９】
レンズ保持枠１１には、レンズ９のフィルタ６と対向する面からフィルタ係止部８の厚さと略同じ深さだけ、レンズ９の厚さ方向に切欠いた切欠部１２が、４つのフィルタ係止部８と対向する位置にそれぞれ設けられている。レンズ保持枠１１であって切欠部１２以外の部分は、レンズ保持部１０とレンズ９とを接着させるレンズ固着部１３となり、このレンズ固着部１３には、接着剤を流し込む接着しろ１４が設けられている。この接着しろ１４に接着剤が充填されてレンズ保持部１０にレンズ９を固定されている。
【００２０】
レンズ保持枠１１の一側部には、第三レンズ群９を光軸方向へ移動させる第三レンズ駆動手段１５を構成するスクリューネジ孔１６及びガイド孔１７が設けられている。一方、固定筒２の底部には、ステッピングモータ１８が設けられており、このステッピングモータ１８には、スクリューネジ１９が接続されている。このスクリューネジ１９には、スクリューネジ孔１６が螺合されるとともに、図示しないガイド軸には、ガイド孔１７が嵌挿されている。そして、レンズ保持枠１１が、ステッピングモータ１８の回転駆動により第三レンズ群９の光軸方向に沿って移動することにより、第三レンズ群９を光軸上の適切な位置に位置決めされるようになっている。
【００２１】
レンズ保持部１０は、フィルタ係止部８と切欠部１２とが干渉せず、かつ、フィルタ６の表面とレンズ９の表面とが干渉しない程度にフィルタ６に対して近接した位置まで移動できるようになっている。ここで、図４（ａ）に示すように、フィルタ係止部８は、フィルタ６表面よりレンズ保持部１０側に突出しているが、そのぶんレンズ保持枠１１にレンズ９の厚さ方向に切欠いた切欠部１２が設けられているため、フィルタ係止部８がレンズ９表面よりも被写体側にまで入り込むことができ、レンズ保持部１０をレンズ９表面とフィルタ６表面とが干渉しない程度にまで近接させることができる。一方、図４（ｂ）に示すように、フィルタ保持部７の、レンズ保持枠１１が切り欠かれていないレンズ固着部１３に対向する位置には、フィルタ係止部８が設けられていないため、レンズ保持部１０の近接動作を妨げることがない。
【００２２】
固定筒２には、カム機構２０を介して第一鏡筒２１及び第二鏡筒２２が支持されており、第一鏡筒２１及び第二鏡筒２２には、それぞれ変倍用の第一レンズ群２３及び第二レンズ群２４が保持されている。カム機構２０は、両端部が開放された筒状体であって，その内部で第一鏡筒２１及び第二鏡筒２２を支持するカム筒２５と、このカム筒２５の外周面上から突出した従動突起２６と、この従動突起２６が係合するカム溝２７を固定筒２の内周面に有している。
【００２３】
上記カム筒２５は、その外径が固定筒２の内径よりも若干小さく設定され、固定筒２の内部に、回転可能に配設されており、図示しないカム筒駆動機構によって回転駆動されるようになっている。また、カム筒２５の中心線方向の長さは、固定筒２の長さとほぼ等しく、鏡筒装置１が沈胴状態の場合にはほぼその全体が固定筒２の内部に格納された状態となる。
【００２４】
第一鏡筒２１及び第二鏡筒２２は、それぞれ第一鏡筒用カム機構２８及び第二鏡筒用カム機構２９を介してカム筒２５に支持されている。この第一鏡筒用カム機構２８は、第一鏡筒２１の外周面上に設けられた従動突起３０とカム筒２５の内周面上に従動突起３０が係合するカム溝３１とを有している。第二鏡筒用カム機構２９は、第二鏡筒２２の側部から延在する従動突起３２とカム筒２５の内周面上に従動突起３２が係合するカム溝３３とを有している。そして、カム筒２５自体が自らの回転によりカム溝部２７に従ってその中心線方向に変位を生じるので、第一鏡筒２１に支持された第一レンズ群２３及び第二鏡筒２２に支持された第二レンズ群２４は、カム筒２５の回転により、カム機構２０と第一及び第二鏡筒用カム機構２８，２９との合成された変位を生じることとなる。
【００２５】
次に、本実施形態の作用について説明する。
本実施形態に係る鏡筒装置１を撮像装置の本体部に沈胴させる際には、ステッピングモータ１８を駆動してスクリューネジ１９を回転させて、これに螺合するスクリューネジ孔１６を介してレンズ保持枠１１を、フィルタ６に対して最至近距離まで移動させる。このとき、フィルタ係止部８が切欠部１２に入り込むことにより、両者が干渉しない程度に重なり合った状態になり、レンズ９表面とフィルタ６表面とが干渉しない程度まで接近した状態となる。この状態で、カム筒駆動機構を駆動してカム筒２５を回転させることによって、カム溝部２７，２８，３３の形状に従って従動突起２６，３０，３２が移動して、カム筒２５及び第一、第二鏡筒２１，２２が固定筒２の内部に格納された状態となる。
【００２６】
本実施形態によれば、鏡筒装置１を撮像装置の本体部に沈胴させる際に、レンズ保持枠１１をフィルタ６に対して最至近距離まで移動させたとき、フィルタ係止部８と切欠部１２とが干渉しない程度に重なり合った状態になるとともに、レンズ９表面とフィルタ６表面とが干渉しない程度まで接近した状態となる。そして、この状態で、カム筒２５及び第一、第二鏡筒２１，２２が固定筒２の内部に格納するため、撮像装置全体を小型化することができる。また、フィルタ係止部８が、フィルタ保持部７の四隅に設けられているため、少なくともフィルタ６の四隅がレンズ保持枠１１に対応する位置に配設される大きさを有していれば、フィルタ係止部８はレンズ保持枠１１と対応する位置に配設され、レンズ９との干渉することなく切欠部１２に入り込むことができるから、フィルタ６を必要以上に大きくせずにすむ。
【００２７】
【発明の効果】
請求項１に記載の発明によれば、フィルタ係止部と対向する位置には切欠部が設けられているため、レンズ保持枠をフィルタに接近させると、フィルタ表面より被写体側に突出しているフィルタ係止部が、レンズ保持部の切欠部に入り込む。したがって、レンズ保持枠をレンズ表面がフィルタ表面に干渉しない程度まで近接させることができ、この状態で、撮像装置の本体に沈胴させることができるため、撮像装置全体を小型化することができる。
【００２８】
請求項２に記載の発明によれば、フィルタ係止部は、フィルタの四隅を係止するため、フィルタを必要以上に大きくせずにすむ。
【図面の簡単な説明】
【図１】本発明による鏡筒構造を適用した撮像装置の鏡筒装置の一実施形態の構成を示す図である。
【図２】本実施形態による鏡筒装置の構成を示す図である。
【図３】本実施形態による鏡筒装置の構成を示す図である。
【図４】（ａ）は、図２に示す鏡筒装置のＡ−Ａ´断面図であり、（ｂ）は、図２に示す鏡筒装置のＢ−Ｂ´断面図である。
【図５】従来の鏡筒構造を適用した撮像装置の鏡筒装置の構成を示す図である。
【図６】図５に示す鏡筒装置のＡ−Ａ´断面図である。
【符号の説明】
６    フィルタ
７    フィルタ保持部
８    フィルタ係止部
９    レンズ（第三レンズ群）
１１  レンズ保持枠
１２  切欠部
１３  レンズ固着部
１４  接着しろ
【図１】
2004205683.tif 000003
【図２】
2004205683.tif 000004
【図３】
2004205683.tif 000005
【図４】
2004205683.tif 000006
【図５】
2004205683.tif 000007
【図６】
2004205683.tif 000008